(57)【特許請求の範囲】
【請求項１】
半径方向の周面が先細りテーパまたは先細り曲面で且つ、その周面が回転曲面として形成され、外周に比較的脆弱な工具装着部３を設けたナット１と、
前記ナット１と共にボルト１５に螺着される軸力印加装置１２とを備え、
ボルト１５に前記軸力印加装置１２を螺着して緊張する方向に軸力を印加した状態でのみ、前記工具装着部３に装着した工具８によりナット１が締結されると共に、締結されたナット１を緩められるようになされ且つ、その工具嵌着部３は、前記軸力印加装置１２を使用することなく、そこに工具を嵌着してナットを緩める場合には、破損する程度に脆弱に形成されていることを特徴とするボルト締結装置。
【請求項２】
工具装着部３が、ナット１の軸方向の端部４に設けられた突部５、またはナット１の外周部６に設けられた孔部７である請求項１に記載されたボルト締結装置。
【請求項３】
軸力印加装置１２が、ボルト１５に螺着される筒状の本体１３と、該本体１３を軸方向に押圧する油圧装置１４を備えている請求項１または請求項２に記載のボルト締結装置。
【発明の詳細な説明】
【０００１】
【発明の属する技術分野】
本発明は高圧送電線の鉄塔の脚部を固定する基礎ボルトのような大型ボルトの締結装置に関するものである。
【０００２】
【従来の技術】
高圧送電線の鉄塔の脚部は大型の基礎ボルト（アンカーボルト）を介して基礎コンクリートに固定される。すなわち脚部のボルト孔を基礎コンクリートから突設させた基礎ボルトに挿通してその上からナットで締結固定する。
ところが、このようなナットは通常広く使用されているスパナ等により緩めて取り外すことができるため、ナットを緩ませて鉄塔が倒壊する事故が発生している。
このような問題を解決するために、通常のスパナ等では取り外すことが困難な特殊なナットが提案されている（特開平７−２１９７８０号公報）。該ナットは軸断面外周が略台形状で且つ、外周がその台形状の回転曲面として形成されたナット本体と、ナット本体の外周においてその周方向に１８０度異なると共に軸方向に高さＨだけ異なる位置に形成された一対のスリットを備えたものである。
【０００３】
【発明が解決しようとする課題】
しかし上記特殊ナットに工具を装着してボルトを締結する場合、ナットに工具を装着する部分の形状および大きさが制限されるので、ナットを締結または脱着させる回転力に限界があり、ボルトが大型になるほど締結・脱着操作が困難になるという問題があった。
そこで本発明はこのような問題を解決するボルト締結装置を提供することを目的とし、その目的達成のために次の構成をとる。
【０００４】
【課題を解決するための手段】
本発明のボルト締結装置は、半径方向の周面が先細りテーパまたは先細り曲面で且つ、その周面が回転曲面として形成され、外周に比較的脆弱な工具装着部３を設けたナット１と、
前記ナット１と共にボルト１５に螺着される軸力印加装置１２とを備え、
ボルト１５に前記軸力印加装置１２を螺着して緊張する方向に軸力を印加した状態でのみ、前記工具装着部３に装着した工具８によりナット１が締結されると共に、締結されたナット１を緩められるようになされ且つ、その工具嵌着部３は、前記軸力印加装置１２を使用することなく、そこに工具を嵌着してナットを緩める場合には、破損する程度に脆弱に形成されていることを特徴とするものである。
【０００５】
またその締結装置の好ましい実施の形態は、工具装着部３がナット１の軸方向の端部４に設けられた突部５、またはナット１の外周部６に設けられた孔部７とされる。
さらにその締結装置の別の好ましい実施の形態は、軸力印加装置１２が、ボルト１５に螺着される筒状の本体１３とそれを軸方向に押圧する油圧装置１４を備えている。
【０００６】
【発明の実施の形態】
次に、本発明の実施の形態を図面に基づいて説明する。
図１は本発明のボルト締結装置を構成するナット、およびそのナットを回転させるために適した工具の１例を示す斜視図である。ナット１は軸断面外周が台形状で且つ、外周がその台形状の回転曲面として形成されている。そして中心部に内ネジ２を有すると共に、小半径側の端部４に等間隔で複数個（この例では９０度間隔で４個）の円柱状の突部５からなる比較的脆弱な工具装着部３が設けられる。この工具装着部３には後述する工具８の掛合部１０が係脱自在に係止されるが、さらに後述する軸力印加装置を使用することなくナットをボルトに締結した場合には、或いはそれを緩める場合には破断する程度の脆弱に形成されている。なお端部４に突部５を設ける代わりに、外周部６に点線のような複数の断面円形の孔部７を設けて工具装着部３を構成することもできる。また突部５は断面が四角や六角等の角柱状とすることができ、孔部７も断面が四角や六角等の角孔状とすることができる。
【０００７】
ナット１は、その台形の斜面が直線状ではなく、外側へ僅かに凸となる曲面状、または内側に僅かに凹となる曲面状に形成されたものであってもよい。さらに台形の斜面が複数の折れ線によって形成されるものであってもよい。本発明ではこれらの曲面状および図１のような直線状を含める。
工具８は細長い平板状の柄部９と、それから二股に分かれて延長する平板状の掛合部１０を有している。掛合部１０の各先端部における内側には、前記突部５に掛合できるような内径を有する円弧状の凹部１１が形成されている。
なお、工具装着部３として図１に点線で示す複数の孔部７が設けられる場合には、掛合部としてその孔部７の内径に挿入できる外径を有する円柱状の先端部を有する工具を使用することができる。
【０００８】
図２は本発明のボルト締結装置を構成する軸力印加装置と、上記ナット１を組み合わせて鉄塔の脚部を基礎ボルト（以下単にボルトという。）に締結または脱着する状態を示す一部破断斜視図である。
軸力印加装置１２は、ボルト１５に螺着される筒状の本体１３と、その本体１３を軸方向（図２の上方向）に押圧する油圧装置１４を備えている。本体１３は半径が段差状に変化され、その中心部にボルト１５に螺着する内ネジ１６が形成される。そして半径の大きい上部の外周は滑り防止用にローレット加工されると共に等間隔で複数の回転用の孔部１７が穿設され、半径の小さい下部の外周が油圧装置１４に軸方向にスライド自在に且つ同軸に装着されている。
【０００９】
油圧装置１４は本体１３の下部外周を取り巻くように配置される環状のシリンダー１８と、そのシリンダー１８内に装着されて上下移動する環状のピストン１９を備えている。そしてシリンダー１８には油圧配管を接続するための配管接続部２０が設けられる。
シリンダー１８の下部には筒状の支持体２１が連結される。この支持体２１はその一部が開口部２２を形成するように切り欠かれており、後述するようにこの開口部２２から工具を挿入してナット１を回転できるようになっている。
【００１０】
次に図２を参照して本発明のボルト締結装置の作用を説明すると、基礎コンクリート２３に埋設されたボルト１５は鉄塔の脚部における据付ベース２４のボルト孔に挿通される。そして油圧装置１４の配管接続部２０には油圧制御装置からの油圧配管を接続しておく。その状態においてボルトを締結するには、先ずナット１を手で回転しながらボルト１５に仮螺着する。次にそのナット１を覆うようにして軸力印加装置１２の本体１３を手で回転してボルト１５に螺着し、支持体２１の底部が据付ベース２４の上面に接触する位置で停止させる。そして必要により孔部１７に棒状の工具を差し込み、支持体２１の底部が据付ベース２４の上面に強く押圧されるように本体１を回転させる。
【００１１】
次に図示しない油圧制御装置から油圧を供給して油圧装置１４のピストン１９に上昇力を加えると、本体１３はボルト１５を緊張（すなわちボルト１５を軸線方向に引張）する。するとボルト１５は引き伸ばされてナット１と据付ベース２４の間に隙間が生じるので、支持体２１の開口部２２から工具８を挿入し、その掛合部１０をナット１の工具装着部３に掛合させて装着する。そしてナット１を締めつける方向に工具８を回転することにより、ナット１が所定の軸力でボルト１５に締結される。１つのナット１を締結したら軸力印加装置１２を当該ボルト１５から取り外し、次のボルト締結作業に移る。或いは、複数台の軸力印加装置１２を用いることにより、複数のボルトにナットを並列的にしかも均等な締結力で締結することができる。
【００１２】
次に上記のようにして締結されたナット１をボルト１５から脱着するには、前記締結操作と同様に、先ずナット１を覆うようにして軸力印加装置１２の本体１３を手で回転してボルト１５に螺着し、支持体２１の底部が据付ベース２４の上面に接触する位置で停止する。次いで油圧制御装置から油圧を供給して油圧装置１４のピストン１９に上昇力を加えてボルト１５を緊張させると、ボルト１５が引き伸ばされてナット１と据付ベース２４の間に隙間が生じる。そして支持体２１の開口部２２から工具８を挿入し、その掛合部１０をナット１の工具装着部３に掛合させて装着し、工具８を回転してナット１を緩める。次にナット１から軸力印加装置１２を取り外し、手でナット１を緩めて脱着する。
なお、そのナット１の工具嵌着部３は、前記軸力印加装置１２を使用することなく、そこに適宜な工具を嵌着してナットを緩める場合には、破損する程度に脆弱に形成されている。
【００１３】
【発明の効果】
本発明のボルト締結装置は、そのナットの外周面が先細りテーパまたは先細り曲面で且つ回転曲面として形成されているため、通常の工具では把持することができない。しかも特定の工具と共に軸力印加装置を併用しなければ、ナットの締結および脱着ができないようになっているので、高圧送電線の鉄塔の基礎部におけるナットの緩め、取り去り等を有効に防止することができる。また、大型のナットであってもその締結または脱着を容易に行うことができる。さらに軸力印加装置により所定の軸力でボルトを締結することができる。
【図面の簡単な説明】
【図１】本発明のボルト締結装置を構成するナットおよびそれに装着される工具の１例を示す斜視図。
【図２】図１のナットおよび軸力印加装置を使用してボルトの締結または脱着を行っている状態を示す一部破断斜視図。
【符号の説明】
１  ナット
２  内ネジ
３  工具装着部
４  端部
５  突部
６  外周部
７  孔部
８  工具
９  柄部
１０  掛合部
１１  凹部
１２  軸力印加装置
１３  本体
１４  油圧装置
１５  ボルト
１６  内ネジ
１７  孔部
１８  シリンダー
１９  ピストン
２０  配管接続部
２１  支持体
２２  開口部
２３  基礎コンクリート
２４  据付ベース
【図１】
0004029368.tif 000002
【図２】
0004029368.tif 000003